(57)【要約】【課題】  位牌全体から気品や優雅さ、また重厚な雰囲気を醸し出すことができ、さらには、所有者の臍の緒や故人の遺骨等を収納させることにより、故人を偲ぶ気持ちを深めると共に、所有者の臍の緒の紛失を未然に防ぐことができる位牌を提供すること。【解決手段】  本発明の位牌１は、造形部３からなる位牌本体２と、位牌本体２に着脱自在に装着される台座４とで形成されている位牌１であって、前記位牌本体２の背面に戒名５を記したことを特徴とする。また前記台座４の内部に収納部１０を形成し、収納部１０内に臍の緒ａ、遺骨ｂを髪の毛ｃを収容させた。さらに前記造形部３は観音像、不動明王像とすることが好ましい。【選択図】図１
2008259784.tif 000002
【特許請求の範囲】
【請求項１】
造形部からなる位牌本体と、位牌本体に着脱自在に装着される台座とで形成されている位牌であって、前記位牌本体の背面に戒名を記したことを特徴とする位牌。
【請求項２】
前記台座の内部に収納部を形成した請求項１記載の位牌。
【請求項３】
前記収納部内に臍の緒を収容させた請求項１または２記載の位牌。
【請求項４】
前記収納部内に遺骨を収容させた請求項１または２記載の位牌。
【請求項５】
前記収納部内に髪の毛を収容させた請求項１または２記載の位牌。
【請求項６】
前記造形部は観音像である請求項１乃至５のうちいずれか１項に記載の位牌。
【請求項７】
前記造形部は不動明王像である請求項１乃至５のうちいずれか１項に記載の位牌。
【発明の詳細な説明】
【技術分野】
【０００１】  本発明は、携帯が容易で気品や優雅さを醸し出すことができ、さらには臍の緒や遺骨等を収納させることができる位牌に関する。
【背景技術】
【０００２】  一般的な位牌は、平板状の木牌と台座とからなり、木牌に漆を塗り金箔や金粉などで加飾した塗位牌や、黒檀や紫檀で作られた唐木位牌がある。また位牌の前面には故人の戒名が記されている。【０００３】  また、裏面に祈願や供養のための文字を記入することにより、先祖代々の供養と他の供養や祈願を同時に行うことができる位牌がある（例えば、特許文献１参照）。
上掲特許文献１には、裏面に祈願や供養のための文字を記入する先祖代々の位牌が記載されている。
【特許文献１】実開平７−４３０５４号公報
【発明の開示】
【発明が解決しようとする課題】
【０００４】  しかしながら上掲特許文献１の位牌においては、外観形状や構造が従来のものと相違しないため、全体から得られる気品や優雅さ、また重厚な雰囲気を醸し出すことができなかった。また祀るための仏壇が無く単独で載置する場合、強い違和感を得ることがあった。【０００５】  そこで本発明は上記の点に鑑み、位牌全体から気品や優雅さ、また重厚な雰囲気を醸し出すことができ、さらには、所有者の臍の緒や故人の遺骨等を収納させることにより、故人を偲ぶ気持ちを深めると共に、所有者の臍の緒の紛失を未然に防ぐことができる位牌を提供することにある。
【課題を解決するための手段】
【０００６】  上記課題を解決するために、造形部からなる位牌本体と、位牌本体に着脱自在に装着される台座とで形成されている位牌であって、前記位牌本体の背面に戒名を記したことを特徴とする。また前記台座の内部に収納部を形成した。また前記収納部内に臍の緒を収容させた。また前記収納部内に遺骨を収容させた。また前記収納部内に髪の毛を収容させた。また前記造形部は観音像である。さらに、前記造形部は不動明王像である。
【発明の効果】
【０００７】  造形部からなる位牌本体を観音像や不動明王像とし、背面に戒名を記すことで、位牌全体から気品や優雅さ、また重厚な雰囲気を醸し出すことができる。また、台座の内部に、所有者の臍の緒を収容させることで、臍の緒の紛失を未然に防ぐことができる。また遺骨や髪の毛遺品を収納させることにより、供養する子孫に心の安らぎを与え慈悲の心を高めることができる。
【発明を実施するための最良の手段】
【０００８】  以下、本発明における位牌の実施の形態を説明する。
本発明の位牌１は、造形部３からなる位牌本体２と、位牌本体２に着脱自在に装着される台座４とで形成され、前記位牌本体２の背面には、故人の戒名５が記されている。また前記位牌１の材質は特に限定されないが、高級感を得るためには松、檜、黒檀、紫檀等を用いることが好ましい。
【０００９】  また他の好適例として、図２の（ａ）に示すように、前記台座４の内部には収納部１０が形成されている。かかる収納部１０は、台座４の内部を繰り抜いた状態に形成されている。
【００１０】  前記収納部１０上部には螺子溝１１が形成され、中央部には、位牌本体２の螺子孔１３に螺合する突起部１２が設けられている。そのことにより、突起部１２と螺子孔１３とを螺着させることで、（ｂ）に示すように、台座４と位牌本体２とを着脱自在に装着させることができる。
【００１１】  また他の好適例として、前記収納部１０内に臍の緒ａを収容させた。この臍の緒ａは、所有者、特に故人の子孫の臍の緒であることが望ましい。そのことにより、所有者が位牌１と共に自分の臍の緒ａを保有することができ、紛失することを未然に防ぐ。また、所有者の疾病による治療の際にも、臍の緒ａを有効的に使用することができる。
【００１２】  また他の好適例として、前記収納部１０内に遺骨ｂを収容させることが好ましい。さらに、前記収納部１０内に髪の毛ｃを収容させてもよい。遺骨ｂや髪の毛ｃを収納させることにより、故人を供養する子孫の慈悲の心を高めることができる。また信仰心を深め、心の安らぎを与えることもできる。
【００１３】  また他の好適例として、図１に示すように、前記造形部３は観音像であることが好ましい。観音は、我が国において、古くから広く信仰を集めている尊格であり、多くの日本人に最も馴染みの深い菩薩である。造形部３を観音像とすることで、気品や優雅さ、また重厚な雰囲気を醸し出すことができ、さらに慈悲の心を高めることができる。また観音像においては、聖観音、十一面観音、千手観音、馬頭観音、如意輪観音等を造形したものが用いられる。
【００１４】  また、前記位牌本体２の背面には、故人の戒名５が記されている。戒名５は、造形部３の背面の一部を平坦状に加工し、かかる平坦部に故人の記される。また特に、造形部３を観音像とした場合、祖母や母の女性の戒名を記すことが好ましい。
【００１５】  また他の好適例として、図３に示すように、前記造形部３は不動明王であることが好ましい。不動明王は、観音と同じく、我が国で最も有名な五大明王・八大明王の一つで、厄難除災と煩悩を断ち切り、悪魔を降伏させるために憤怒の姿を呈している。そのため、造形部３を不動明王像とすることで、重厚な雰囲気と共に、子孫の心を引き締め、やる気と勇気を与えてくれる。
【００１６】  また、前記位牌本体２の背面には、図３の（ｂ）に示すように、故人の戒名５が記されている。戒名５は、造形部３の背面の一部を平坦状に加工し、かかる平坦部に故人の記されている。また特に、造形部３を不動明王像とした場合、祖父や父の男性の戒名を記すことが好ましい。
【図面の簡単な説明】
【００１７】
【図１】（ａ）は位牌の正面図、（ｂ）は位牌の背面図である。
【図２】収納部を示す断面図である。
【図３】（ａ）は位牌の正面図、（ｂ）は位牌の背面図である。
【符号の説明】
【００１８】１    位牌
２    位牌本体
３    造形部
４    台座
５    戒名
１０  収納部
１１  螺子溝
１２  突起部
１３  螺子孔
ａ    臍の緒
ｂ    遺骨
ｃ    髪の毛
【図１】
2008259784.tif 000003
【図２】
2008259784.tif 000004
【図３】
2008259784.tif 000005